【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
分析システムにおける対象物の選択的保持／開放のための装置であって、
第１の軸に対して回転可能に取付けられた第１のアームであり、対象物保持端部と、第１軸に対して互いに反対側に配列される磁気端部とを有する第１アームと、
第１軸に対して平行である第２の軸に対して回転可能に取付けられた第２のアームであり、対象物保持端部と、第２軸に対して互いに反対側に配列された磁気端部とを有する第２アームと、そして、
それぞれ、第１、第２軸に対して第１、第２アームの磁気端部の回転を磁力によって引き起こすように構成している磁気駆動部と、
を具備する装置。
【請求項２】
第１アームの第２アームへの動きを規制するように配列された空間調整機構を備えた、請求項１に記載の装置。
【請求項３】
第１、第２アームの磁気端部は、保持端部が保持されるべき対象物に遠位である第１のポジションと、保持端部が対象物に近位である第２のポジションとの間で、回転する構成とした請求項１に記載の装置。
【請求項４】
第１、第２の部材の磁気端部は、永久磁石から構成される請求項１に記載の装置。
【請求項５】
磁気駆動部は、永久駆動磁石と、
永久駆動磁石に連結したモータドライブとを具備し、
モータドライブは、第１、第２アームの磁気端部が、永久駆動磁石のポジションの結果として、互いに近接するように回転する第１のポジションと、
第１、第２アームの磁気端部が、永久駆動磁石のポジションの結果として、互いに離反するように回転する第２のポジションとの間で、永久駆動磁石を方向付ける請求項１に記載の装置。
【請求項６】
磁気駆動部は、電磁石を具備する請求項１に記載の装置。
【請求項７】
分析ユニットにおける、分析のためのサンプルを保持するようにしたキャリアの選択的保持／開放のための装置であって、
キャリアを支えるようにした取付ベッドと、
第１の端部におけるアーム部材と第２の端部における磁気部分を有する第１のアームアセンブリであり、第１の軸に対し回転可能に取り付けた第１アームアセンブリと、
第１端部に近接するアームと、第２端部における磁気部分とを有する第２のアームアセンブリであり、第１軸に平行な第２の軸に対し回転可能に取付けられた第２アームアセンブリと、
磁気駆動部であって、第１、第２軸に対して互いに近接、離反する第１、第２アームアセンブリの磁気部分の回転を磁力によって引き起こすようにしたことにより、キャリアが取付ベッド上に受け入れられる第１のポジションと、キャリアがアーム部材の補助を伴う取付ベッド上に取り付ける第２のポジションとの間で、第１、第２アームアセンブリのアーム部材の対応する回転をもたらすようにした磁気駆動部と、
を具備する分析システムにおけるキャリアの選択的保持／開放のための装置。
【請求項８】
第１、第２アームアセンブリが第２ポジションにおいて、第１アームアセンブリから第２アームアセンブリに向かう動作を規制するように配列される空間調整機構を具備する請求項７に記載の装置。
【請求項９】
第１、第２アームアセンブリの磁気部分は永久磁石からなる請求項７に記載の装置。
【請求項１０】
磁気駆動部は、永久駆動磁石と、
永久駆動磁石に連結するモータドライブとを具備し、
モータドライブは、第１、第２アームアセンブリの磁気部分が、永久駆動磁石のポジションの結果として互いに近接するように回転する少なくとも第１のポジションと、
第１、第２アームアセンブリの磁気部分が、永久駆動磁石のポジションの結果として互いに離反するように回転する第２のポジションとの間で、
永久駆動磁石を方向付ける請求項７に記載の装置。
【請求項１１】
分析ユニットにおけるスライドの移送のための装置であって、
スライドキャリッジアセンブリと、分析ユニット内の複数のポジション間にスライドキャリッジアセンブリを動かすように連結するキャリッジドライブとを具備し、
スライドキャリッジアセンブリは、スライドを支えるように構成した取付ベッドと、
第１端部に対するアーム部材と第２端部の磁気部分を有する第１アームアセンブリであり、第１軸に対し回転可能に取付けられた第１アームアセンブリと、
第１端部に対するアーム部材と第２端部の磁気部分を有する第２アームアセンブリであり、第１軸に平行な第２軸に対して回転可能に取付けられた第２アームアセンブリと、
第１、第２軸に対し互いに接近／離反する第１、第２アームアセンブリの磁気部分の回転を磁力によって引き起こすようにし、それにより、スライドが取付ベッド上に受け入れられる第１のポジションと、アーム部材の補助を伴う取付ベッド上に取り付けることができる第２のポジションとの間で、第１、第２アームアセンブリのアーム部材の対応する回転を引き起こす磁気駆動部と、
を具備する装置。
【請求項１２】
第１、第２アームアセンブリが第２ポジションにある際、第１アームアセンブリが第２アームアセンブリに向かう動作を規制するように配列される空間調整機構を具備する請求項１１に記載の装置。
【請求項１３】
第１、第２アームアセンブリの磁気部分は、永久磁石を具備する請求項１１に記載の分析システムにおける装置。
【請求項１４】
磁気駆動部は永久駆動磁石を具備し、
永久駆動磁石は、
永久駆動磁石に連結するモータドライブであり、第１、第２アームアセンブリの磁気部分がそれぞれ永久駆動磁石のポジションの結果として互いに近接するように回転する少なくとも第１のポジションと、
第１、第２アームアセンブリの磁気部分が永久駆動磁石のポジションの結果として互いに離反するように回転される第２のポジションとの間で、永久駆動磁石に方向付けられるように運転されるモータドライブと、
を具備する請求項１１に記載の装置。
【請求項１５】
分析ユニットにおいて搬送の間、分析のためのサンプルを保持するようにしたキャリアの選択的保持／開放のための装置であって、
キャリアと接触するようにした取付ベッドと、
第１の軸に対し回転可能に取り付けられた第１のクランプ部材であり、キャリアグリップエンドと第１軸の側部と反対側に配置された磁気端部とを有する第１クランプ部材と、
第１軸に平行な第２の軸に対し回転可能に取付けられた第２のクランプ部材であり、第２軸の側部と反対側に配置されたキャリアグリップエンドと磁気端部とを有する第２クランプ部材と、
それぞれ第１、第２軸に対して第１、第２クランプ部材の磁気端部の回転を磁力により引き起こすようにし、それにより、キャリアを取付ベッドに固定するようにした磁気駆動部と、
を具備する分析システムにおけるキャリアの選択的保持／開放のための装置。
【請求項１６】
第１、第２クランプ部材の磁気端部は、グリップエンドが取付ベッドに遠位である第１のポジションとグリップエンドが取付ベッドの近傍である第２のポジションとの間で、回転するようにした請求項１５に記載の装置。
【請求項１７】
第１、第２クランプ部材の磁気端部は、永久磁石を具備する請求項１５に記載の装置。
【請求項１８】
磁気駆動部は永久駆動磁石と、
永久駆動磁石に連結するモータドライブとを具備し、
第１、第２クランプ部材の磁気端部が、永久駆動磁石のポジションの結果として互いに近接するように回転する少なくとも第１のポジションと、第１、第２クランプ部材の磁気端部が、永久駆動磁石のポジションの結果として互いに離反するように回転する第２のポジションとの間で、永久駆動磁石を方向付ける請求項１５に記載の装置。
【請求項１９】
磁気駆動部は電磁石を具備する請求項１５に記載の装置。